(57)【特許請求の範囲】
【請求項１】
理容、美容用または服飾用の鋏であって、
刃部を有する第１鋏半体と刃部を有する第２鋏半体とが軸支部にて回動自在に連結される鋏において、
前記第１鋏半体はグリップ部を有し、
前記第２鋏半体はトリガー部を有し、
前記グリップ部が、母指球と四指の付け根との間に形成される掌上のラインに当接されるとともに、母指球と四指の付け根とに挟持されることにより、掌内に包み込まれるように支持され、
前記トリガー部には、四指のうち少なくとも１つの指の指先が掛けられ、
前記グリップ部に対し、前記第１鋏半体の刃部が、グリップ部が支持された状態にて、四指側に４５〜７５度傾いている
ことを特徴とする鋏。
【請求項３】
母指球と四指の付け根との間に形成されるグリップ部仮想中心面に対し、前記第１鋏半体と第２鋏半体との回動面が、所定角度、母指側に傾いている
ことを特徴とする請求項１記載の鋏。
【請求項４】
前記所定角度は、２０〜４０度である
ことを特徴とする請求項３記載の鋏。
【請求項５】
前記第１鋏半体に対し前記第２鋏半体を開方向に付勢する付勢部材を更に備えることを特徴とする請求項１，３，４いずれか記載の鋏。
【請求項６】
前記トリガー部材は、剛結状に前記第２鋏半体の本体部に延設されている
ことを特徴とする請求項１，３，４，５いずれか記載の鋏。
【請求項７】
前記トリガー部は、一端が前記第２鋏半体の本体部に回動自在に延設され、他端が前記グリップ部に回動自在に延設される棒状部材である
ことを特徴とする請求項１，３，４，５いずれか記載の鋏。
【請求項８】
前記トリガー部は、前記第２鋏半体の本体部に回動自在に延設されるリング状部材である
ことを特徴とする請求項１，３，４，５いずれか記載の鋏。
【請求項９】
前記グリップ部は、前記トリガー部との接触箇所にヒットポイントを有する
ことを特徴とする請求項１，３〜８いずれか記載の鋏。
【請求項１０】
前記グリップ部は、手の甲の水かき部に掛けられる掛止フックを有する
ことを特徴とする請求項１，３〜８いずれか記載の鋏。
【請求項１１】
前記グリップ部は、母指と第２指をガイドするガイド溝を有する
ことを特徴とする請求項１，３〜８いずれか記載の鋏。
【発明の詳細な説明】
【技術分野】
【０００１】
本発明は鋏に関し、特に理容または美容用の鋏に関する。
【背景技術】
【０００２】
理容師や美容師の職業病の一つに指や手首の腱鞘炎がある。長年に渡って散髪をしてきた結果、鋏の開閉の繰り返しにより、特に親指（母指）が腱鞘炎となることが多い。また、散髪中、理容師（以下、美容師を含む）は手首を過度に曲げる等不自然な姿勢を強いられるため、手首が腱鞘炎となることもある。【０００３】
腱鞘炎を未然に防止するため、例えば、特許文献１記載の従来技術が提案されている。すなわち、鋏の柄部の少なくとも一部分に中空部を形成するとともに、中空部に、粘弾性体を封入する。粘弾性体の優れた衝撃緩衝力や振動吸収力により、鋏の開閉時に伴う掌体の振動を低減することができるため、親指や手首への負担を大幅に軽減することができる。これにより、腱鞘炎を未然に防止できる。
【先行技術文献】
【特許文献】
【０００４】
【特許文献１】国際公開第２００６／０２２３６８号
【発明の概要】
【発明が解決しようとする課題】
【０００５】
しかし、従来技術に係る鋏は、腱鞘炎を未然防止するものであり、すでに腱鞘炎に苦しんでいる理容師には、充分な効果は期待できない。すなわち、従来技術に係る鋏を用いたとしても、散髪の際に、鋏の開閉のために親指を必ず使用し、手首を過度に曲げる等不自然な姿勢を強いられる動作は同じである。腱鞘炎になった親指や手首では、これらの動作は困難である。【０００６】
すでに腱鞘炎に苦しんでいる理容師から、親指の使用を軽減し、手首を過度に曲げる必要のない鋏の開発が望まれている。【０００７】
本発明は、上記課題を解決するものであり、親指の使用を軽減できる鋏を提供することを目的とする。また、手首を過度に曲げる必要のない鋏を提供することを目的とする。
【課題を解決するための手段】
【０００８】
上記課題を解決するために、本発明は、刃部を有する第１鋏半体と刃部を有する第２鋏半体とが軸支部にて回動自在に連結される鋏において、前記第１鋏半体はグリップ部を有し、前記第２鋏半体はトリガー部を有し、前記グリップ部が、母指球と四指の付け根と間に形成される掌上のラインに当接されるとともに、母指球と四指の付け根とに挟持されることにより、支持され、前記トリガー部には、四指（第２〜５指）のうち少なくとも１つの指の指先が掛けられる。【０００９】
グリップ部を掌内に握った状態にて、第１鋏半体は固定されている。一方、トリガー部に掛けられた指を屈曲させると、第２鋏半体が第１鋏半体に対し閉方向に回動される。これにより、対象は切断される。このとき、親指（母指）はグリップ部側面を支持するのみで、親指の使用を軽減できる。【００１０】
上記発明において、好ましくは、前記グリップ部に対し、前記第１鋏半体の刃部が、グリップ部が支持された状態にて、四指側に４５〜７５度（６０±１５度）傾いている。【００１１】
グリップ軸に対し、第１鋏半体の刃部の長軸が四指側に６０度程度傾いていることにより、基本姿勢にてグリップ部を掌内に握った状態で、第１鋏半体の刃部の長軸は地面に水平に固定される。これにより、対象を適切に切断できる。【００１２】
上記発明において、好ましくは、母指球と四指の付け根と間に形成されるグリップ部仮想中心面に対し、前記第１鋏半体と第２鋏半体との回動面が、所定角度、母指側に傾いている。【００１３】
更に好ましくは、前記所定角度は、２０〜４０度（３０±１０度）である。【００１４】
グリップ部仮想中心面に対し、回動面が３０度程度母指（親指）側に傾いていることにより、基本姿勢にてグリップ部を掌内に握った状態で、回動面は操作者に平行に形成される。操作者が切断対象と対向する位置にいれば、回動面は対象切断線に平行に形成される。特に切断対象が頭髪の場合、頭部の円味に合わせて、平行状態を維持し、適切に切断できる。【００１５】
上記発明において、好ましくは、前記第１鋏半体に対し前記第２鋏半体を開方向に付勢する付勢部材を更に備える。【００１６】
これにより、操作者は閉方向に回動のみをすることにより、開閉動作を繰り返すことができる。【００１７】
上記発明において、好ましくは、前記トリガー部材は、剛結状に前記第２鋏半体の本体部に延設されている。【００１８】
これにより、トリガー部に掛けられた指を屈曲させると、閉方向に回動が可能になる。【００１９】
上記発明において、好ましくは、前記トリガー部は、一端が前記第２鋏半体の本体部に回動自在に延設され、他端が前記グリップ部に回動自在に延設される棒状部材である。【００２０】
トリガー部が回動自在であることにより、トリガー部の角度の微調整が可能になり、よりスムーズに、指の屈曲動作を回動動作に変換することができる。【００２１】
上記発明において、好ましくは、前記トリガー部は、前記第２鋏半体の本体部に回動自在に延設されるリング状部材である。【００２２】
これにより、指の屈曲による閉方向の回動に加えて、指の伸長による開方向の回動も可能になる。その結果、付勢部材が不要になる。【００２３】
上記発明において、好ましくは、前記グリップ部は、前記トリガー部との接触箇所にヒットポイントを有する。【００２４】
これにより、過剰な回動を防止できる。グリップ部とトリガー部との衝突による衝撃を緩衝し、衝突音を軽減できる。【００２５】
上記発明において、好ましくは、前記グリップ部は、手の甲の水かき部に掛けられる掛止フックを有する。【００２６】
これにより、前後方向のグリップぶれを軽減し、グリップ部は確実に支持される。【００２７】
上記発明において、好ましくは、前記グリップ部は、母指と第２指をガイドするガイド溝を有する。【００２８】
これにより、左右方向のグリップぶれを軽減し、グリップ部は確実に支持される。
【発明の効果】
【００２９】
本発明の鋏によれば、親指の使用を軽減できる。また、手首の曲げを軽減できる。その結果、すでに腱鞘炎に苦しんでいる操作者でも使用できる。
【図面の簡単な説明】
【００３０】
【図１】側面図＜第１実施形態＞
【図２】側面図  （反対側）
【図３】側面図  （閉状態）
【図４】背面斜視図
【図５】側面図（補助線付加）
【図６】平面図（補助線付加）
【図７】使用状態説明図
【図８】利き手の状態説明図
【図９】基本姿勢説明図（正面図）
【図１０】基本姿勢説明図（平面図）
【図１１】基本姿勢説明図（側面図）
【図１２】基本姿勢以外の姿勢の説明図
【図１３】従来技術の鋏の構成図
【図１４】従来技術の鋏の使用説明図
【図１５】側面図＜第２実施形態＞
【図１６】側面図＜第３実施形態＞
【図１７】側面図  （変形例１）
【図１８】側面図  （反対側）
【図１９】側面図  （閉状態）
【図２０Ａ】位置決めクリック機構断面図
【図２０Ｂ】位置決めクリック機構平面図
【図２１Ａ】位置決めスライドピン機構断面図
【図２１Ｂ】位置決めスライドピン機構平面図
【図２２】ユニバーサルデザインの一例
【図２３】側面図  （変形例３）
【図２４】側面図  （変形例４）
【図２５】平面図  （変形例４）
【図２６】側面図＜第４実施形態＞
【発明を実施するための形態】
【００３１】
本願発明の実施形態について、図を用いて説明する。図１〜１１は第１実施形態に関し、図１５は第２実施形態に関し、図１６〜２５は第３実施形態に関し、図２６は第４実施形態に関する。
【００３２】
＜第１実施形態＞
〜構成〜
図１は、第１実施形態に係る鋏の一側面図であり、図２は、反対側側面図である。図１、図２は開状態である。図３は、閉状態の側面図である。図４は、背面斜視図である。
【００３３】
本実施形態の鋏は、鋏半体１と鋏半体２とが軸支部３にて回動自在に連結されて構成される。
【００３４】
鋏半体１は本体部１１に設けられた刃部１２を有し、さらに、延設部１３を介して剛結状に延設されたグリップ部１４を有する。
【００３５】
延設部１３は、本体部１１に一体連続して延設され、本体部１１の長軸に対し、刃部１２と反対側に６０度程度傾けられている。
【００３６】
グリップ部１４は、利きの掌内に包み込まれるように確実に支持されれば、その形状を問わないが、一例として短銃のグリップと類似形状をしており、類似した機能を有する。すなわち、正面部４１と背面部４２と側面部４３，４４を有し、背面部４２と側面部４３，４４が掌内に当接する。
【００３７】
背面部４２は、母指球と四指（母指以外の四つの指）の付け根と間に形成される掌上のラインに当接される。側面部４３は母指球に当接され、側面部４４は四指の付け根に当接され、グリップ部１４は母指球と四指の付け根とに挟持される（後述の図７参照）。
【００３８】
側面部４３，４４には、ガイド溝４５，４６が設けられ、背面部４２の上部には掛止フック４７が設けられている。ガイド溝４５には、母指（親指）が導かれ係合される。ガイド溝４６には、第２指（人指し指）が導かれ係合される。掛止フック４７はアーチ部を有し、手の甲の水かき部に掛けられる（後述の図７参照）。
【００３９】
なお、ガイド溝４５，４６や掛止フック４７はグリップぶれを軽減するものであり、グリップ部１４が確実に支持されれば、必須の構成ではない。
【００４０】
正面部４１には、トリガー部２４との接触箇所にヒットポイント４８が設けられている。ヒットポイント４８に衝撃緩衝効果や衝突音軽減効果を期待する場合は、ヒットポイント４８を樹脂により被覆することが好ましい。
【００４１】
鋏半体２は本体部２１に設けられた刃部２２を有し、本体部２１には、延設部２３を介して、トリガー部２４が延設されている。
【００４２】
延設部２３は、本体部２１に一体連続して延設され、本体部２１の長軸に対し、刃部２２側に９０度程度傾けられている。
【００４３】
トリガー部２４は、両端が回動可能な棒状部材５１である。棒状部材５１の一端はヒンジ５２を介して連結部５３に連設されている。棒状部材５１の他端はヒンジ５４を介して延設部１５に連設されている。連結部５３の他端はヒンジ５５を介し延設部２３端部に連設されている。延設部１５はグリップ部１４末端に剛結されている。これにより、棒状部材５１は、一端が本体部２１に回動自在に延設され、他端がグリップ部１４に回動自在に延設されるリンク機構を構成する。棒状部材５１は、緩やかなアーチ形状をしており、アーチ内側に第３指（中指）および第４指（薬指）の指先が掛けられる。
【００４４】
トリガー部２４およびトリガー部２４に延設される延設部２３は、指の屈曲動作を本体部２１の回動動作に変換できれば、その形状を問わないが、一例として短銃のトリガーと類似形状をしており、類似機能を有する。
【００４５】
軸支部３の鋏半体２側にはバネ反力板３１が設けられている。バネ反力板３１と鋏半体２との間にはねじりバネ３２（図６参照）が介挿され、鋏半体１に対し鋏半体２を開方向に付勢する。ねじりバネ３２の弾性力により、トリガー部２４に力が作用しないときは、開状態が維持される。トリガー部２４に力が作用すると、ねじりバネ３２の弾性力に対抗して、鋏半体１に対し鋏半体２は閉方向に回動する。したがって、ねじりバネ３２の弾性力は、トリガー部２４に作用する力より、充分小さいことが好ましい。
【００４６】
なお、不使用状態ではねじりバネ３２の弾性力により開状態に維持されるため、鋏を専用ケースに収納し、閉状態にしておく。
【００４７】
図５は、側面図に補助線を付加したものである。本体部１１の長軸と刃部１２の長軸は平行である。一方、延設部１３の長軸と、グリップ部１４のグリップ軸はほぼ一致している。その結果、グリップ軸に対し、刃部１２の長軸が四指側に６０度程度傾いている。
【００４８】
図６は、鋏の平面図に補助線を付加したものである。側面部４３，４４の間（母指球と四指の付け根と間）にグリップ部仮想中心面が形成される。一方、本体部１１の刃部１２に対する本体部２１の刃部２２の軌跡により回動面が形成される。グリップ部仮想中心面に対し、刃部１２，２２の回動面が３０度程度母指（親指）側に傾いている。グリップ部仮想中心面とトリガー部２４の回動面は同一平面にあるため、トリガー部２４の回動面に対し、刃部１２，２２の回動面が３０度程度母指側に傾いていると言い換えることもできる。
【００４９】
〜動作〜
本実施形態の鋏の動作について説明する。図７は、本実施形態の鋏の使用状態の説明図である。図８は、鋏を使用する際の利き手の状態説明図である。
【００５０】
グリップ部１４の保持動作について説明する。母指球と四指（第２〜５指）の付け根と間に形成される掌上のラインをグリップ部１４の背面部４２に当接する。母指をガイド溝４５に係合するとともに、第２指をガイド溝４６に係合し、グリップ部１４を母指球と四指の付け根との間に挟み込む。さらに、掛止フック４７のアーチ部を手の甲の水かき部に係止する。これにより、グリップ部１４は確実に掌内に支持される。
【００５１】
鋏の開閉動作について説明する。グリップ部１４を掌内に握った状態にて、鋏半体１は固定されている。一方、トリガー部２４に掛けられた第３・４指を屈曲させると、延設部２３を介して鋏半体２が鋏半体１に対し閉方向に回動され、刃部１２，２２が重なりあう。これにより、頭髪は切断される。なお、トリガー部２４はヒットポイント４８に接触する。
【００５２】
トリガー部２４に掛けられた第３・４指を伸長させると、ねじりバネ３２の弾性力が開放され、鋏半体２が鋏半体１に対し開く方向に回動され、刃部１２，２２が離れあう。第３・４指の屈伸を繰り返すことにより、連続的に頭髪を切断できる。
【００５３】
一連の切断動作において、親指（母指）はグリップ部側面を支持するのみで、親指を過度に使用することはない。
【００５４】
散髪の基本姿勢について説明する。図９〜１１は、基本姿勢の説明図である。図９は正面図であり、図１０は平面図であり、図１１は側面図である。
【００５５】
理容師は、切断対象（頭髪の切断箇所）と対向する位置に移動する。肘を軽く曲げ、胸の前で輪を描くようにする。利き手で鋏を握るとともに、反対側の手で頭髪を軽く掴む。
【００５６】
グリップ軸に対し、鋏半体１の刃部１２の長軸が四指側に６０度程度傾いている（図５参照）ことにより、基本姿勢にてグリップ部１４を掌内に握った状態で、鋏半体１の刃部１２の長軸は地面に水平に固定される。これにより、鋏を地面と平行に動かすことにより、頭髪を適切に切断できる。
【００５７】
グリップ部仮想中心面に対し、回動面が３０度程度母指（親指）側に傾いている（図６参照）ことにより、基本姿勢にてグリップ部１４を掌内に握った状態で、回動面は理容師（正面）に平行に形成される。理容師が切断対象と対向する位置にいるため、回動面は対象切断線に平行に形成される。これにより、頭部の円味に合わせて平行状態を維持し、頭髪を適切に切断できる。
【００５８】
美容師は、基本姿勢を維持する切断対象と対向する位置に移動して、平面方向の位置調整を行う。また、腕を高さ方向に微調整して高さ方向の位置調整を行う。
【００５９】
頭頂部の切断は基本姿勢の微調整では対応できないため、掌を頭頂部に被せる様な姿勢をとる。図１２は、頭頂部切断の姿勢の説明図である。
【００６０】
グリップ部仮想中心面に対し、回動面が３０度程度母指（親指）側に傾いている（図６参照）ことにより、当該姿勢にてグリップ部１４を掌内に握った状態で、回動面は頭頂部の切断線に平行に形成される。これにより、頭部の円味に合わせて平行状態を維持し、頭髪を適切に切断できる。
【００６１】
〜効果〜
従来技術の鋏と比較することにより、本実施形態の鋏の主な効果を説明する。図１３は従来技術の鋏の構成図である。図１４は従来技術の鋏の使用説明図である。
【００６２】
従来技術の鋏は、鋏半体１と鋏半体２とが軸支部３にて回動自在に連結されて構成される。鋏半体１は本体部１１に設けられた刃部１２を有し、さらに、柄部９１を介して延設された指輪部９３を有する。鋏半体２は本体部２１に設けられた刃部２２を有し、さらに、柄部９２を介して延設された指輪部９４を有する。
【００６３】
指輪部９３には、母指（親指）の指先が掛けられ、指輪部９４には、第４指（薬指）の指先が掛けられる。柄部９２には、第２・３指が添えられ、補助的に鋏半体２を支持する。指環部９３と指輪部９４同士を近接させると、軸支部３を支点として本体部１１，２１が回動し、刃部１２，２２が重なりあう。これにより、頭髪は切断される。
【００６４】
このとき、親指を繰り返し使用するため、すでに親指の腱鞘炎に苦しんでいる理容師は、従来技術の鋏を使用することができない。
【００６５】
また、指輪部９３，９４の回動面と刃部１２，２２の回動面は同一平面にある。その結果、基本姿勢を取ろうとすると手首を過度に曲げる等不自然な姿勢をとる必要があり、すでに手首の腱鞘炎に苦しんでいる理容師は、従来技術の鋏を使用することができない。
【００６６】
これに対し、本実施形態では、動作で述べたように、親指（母指）はグリップ部側面を支持するのみであり、親指の使用を軽減できる。したがって、すでに親指の腱鞘炎に苦しんでいる理容師でも、鋏を使用することができる。
【００６７】
また、基本姿勢を取るとき、手首を不自然に過度に曲げる必要がなく、手首の曲げを軽減できる。したがって、すでに手首の腱鞘炎に苦しんでいる理容師でも、鋏を使用することができる。
【００６８】
本実施形態の鋏の他の構成に係る効果を説明する。
【００６９】
ねじりバネ３２により、理容師は閉方向に回動のみをすることにより、開閉動作を繰り返すことができる。
【００７０】
ヒットポイント４８により、過剰な回動を防止できる。更に、ヒットポイント４８の樹脂被覆により、グリップ部１４とトリガー部２４との衝突による衝撃を緩衝するとともに、衝突音を軽減できる。
【００７１】
掛止フック４７により、前後方向のグリップぶれを軽減し、グリップ部１４は確実に支持される。
【００７２】
ガイド溝４５，４６により、左右方向のグリップぶれを軽減し、グリップ部１４は確実に支持される。
【００７３】
＜第２実施形態＞
第１実施形態では、リンク機構によるトリガー部２４としたが、延設部２３を更に延設し、延設部２３周りを樹脂等で被覆したトリガー部２５としてもよい。
【００７４】
図１５は、第２実施形態に係る鋏の側面図である。第１実施形態と同じ構成には同じ符号を付している。詳細の符番は省略している。トリガー部２５は、緩やかなアーチ形状をしており、アーチ内側に第３指（中指）および第４指（薬指）の指先が掛けられる。
【００７５】
その他の構成は第１実施形態と同じであり、第１実施形態と同様な効果が得られる。
【００７６】
第１実施形態のトリガー部２４と比べて、トリガー部２５は部品数が少なく単純な構造であり、製作コストを低減でき、故障が少ない。
【００７７】
＜第３実施形態＞
第１実施形態では、リンク機構によるトリガー部２４としたが、リングとヒンジから構成されるトリガー部２６としてもよい。
【００７８】
図１６は、第３実施形態に係る鋏の側面図である。第１実施形態と同じ構成には同じ符号を付している。詳細の符番は省略している。延設部２３は更に延設され、緩やかなアーチ形状をしている。アーチ内側はグリップ部１４側を向いている。
【００７９】
トリガー部２６は、２つの連設されたリング５６，５７であり、ヒンジ５８により延設部２３端部に回動可能に延設されている。言い換えると、トリガー部２６は、延設部２３およびヒンジ５８を介して回動可能に本体部２１に延設される。リング５６には、第３指（中指）の指先が掛けられ、リング５７には、第４指（薬指）の指先が掛けられる。
【００８０】
トリガー部２６に掛けられた第３・４指を屈曲させると、延設部２３を介して鋏半体２が鋏半体１に対し閉方向に回動され、刃部１２，２２が重なりあう。これにより、頭髪は切断される。一方、トリガー部２６に掛けられた第３・４指を伸長させると、ヒンジ５８および延設部２３を介して鋏半体２が鋏半体１に対し開く方向に回動され、刃部１２，２２が離れあう。第３・４指の屈伸を繰り返すことにより、連続的に頭髪を切断できる。
【００８１】
その他の構成は第１実施形態と同じであり、第１実施形態と同様な効果が得られる。
【００８２】
第１実施形態のトリガー部２４と比べて、トリガー部２６は部品数が少なく単純な構造であり、製作コストを低減でき、故障が少ない。
【００８３】
トリガー部２６がリング５６，５７であることで、指の伸長により、開方向の回動も可能となる。その結果、バネ反力板３１およびねじりバネ３２が不要になり、更に部品数を減らすことができる。
【００８４】
〜変形例１〜
第３実施形態の変形例について説明する。第３実施形態の鋏半体１に回転ヒンジ６１を付加したものである。なお、第１・２実施形態の鋏半体１に回転ヒンジ６１を付加してもよい。
【００８５】
図１７は、第１変形例に係る鋏の一側面図であり、図１８は、反対側側面図である。図１７、図１８は開状態である。図１９は、閉状態の側面図である。第３実施形態と同じ構成には同じ符号を付している。詳細の符番は省略している。
【００８６】
第１〜３実施形態では、グリップ部１４は延設部１３を介して本体部１１に剛結状に延設されているが、第１変形例では、グリップ部１４は回転ヒンジ６１を介して本体部１１に回動可能に連設されている。
【００８７】
回転ヒンジ６１には、位置決めクリック機構を用いてもよいし、位置決めスライドピン機構を用いてもよい。
【００８８】
図２０は、位置決めクリック機構の詳細図である。図２０Ａは側面断面図であり、図２０Ｂは平面断面図である。回転ヒンジ６１は、回転ヒンジ鋏本体側部６２と回転ヒンジグリップ側部６３とをネジ６４により固定したものである。回転ヒンジ鋏本体側部６２は略円筒形であり、側面に複数の位置決め溝６６が設けられている。回転ヒンジグリップ側部６３には中空部が設けられ、中空部にはバネ６７が内挿されている。バネ６７端部にはボール６８が連設されている。バネ６７の弾性力により、ボール６８がいずれかの位置決め溝６６に当接される。
【００８９】
回転ヒンジ６１の回動位置を変える場合は、ネジ６４を緩め、グリップ部１４に対し本体部１１を回動させると、ボール６８は位置決め溝６６側面を摺動し、隣の位置決め溝６６に当接される。更にネジ６４を締めて確実に固定する。
【００９０】
図２１は、位置決めスライドピン機構の詳細図である。図２１Ａは断面図であり、図２１Ｂは平面図である。回転ヒンジ６１は、回転ヒンジ鋏本体側部６２と回転ヒンジグリップ側部６３とをネジ６４により固定したものである。回転ヒンジ鋏本体側部６２は略円筒形であり、側面に複数の位置決め孔６９が設けられている。回転ヒンジグリップ側部６３には中空部が設けられ、中空部にはバネ６７が内挿されている。バネ６７端部には位置決めピン７０が連設されている。バネ６７の弾性力により、位置決めピン７０がいずれかの位置決め孔６９に嵌合される。位置決めピン７０は嵌合解除レバー７１を有している。嵌合解除レバー７１は指保護用の樹脂が被覆されている。
【００９１】
回転ヒンジ６１の回動位置を変える場合は、まずネジ６４を緩める。嵌合解除レバー７１を引くと位置決めピン７０が位置決め孔６９から引き抜かれる。嵌合解除を維持しながらグリップ部１４に対し本体部１１を回動させ、嵌合解除レバー７１を放すと、再び位置決めピン７０が別の位置決め孔６９に嵌合される。更にネジ６４を締めて確実に固定する。
【００９２】
回転ヒンジ６１により、グリップ部仮想中心面に対する刃部１２，２２の回動面がなす角度を、例えば、−３０〜３０度の範囲で調整できる。
【００９３】
更に、ヒットポイント７２は、鋏半体２側に設けられていてもよい。鋏の開閉動作に伴い、ヒットポイント７２はグリップ部１４の回転ヒンジグリップ側部６３周辺に接触する。
【００９４】
ところで、第１〜３実施形態における図１〜１６では、利き手が右手であることを前提としており、利き手が左手である場合は、構成が左右対称の鋏を別途製作する必要がある。一般に、左利きの理容師の割合は少なく、左利き用の鋏の制作コストは高くなる。
【００９５】
図２２は、ユニバーサルデザインの一例を示す図である。回転ヒンジ６１の回動位置により、右利き用にも左利き用にも調整できる。これにより、左利きの理容師にも低コストで鋏を提供できる。
【００９６】
〜変形例２〜
グリップ部仮想中心面に対応する様に、トリガー部２６にも折り返し角度を設けてもよい。これにより、より滑らかな回動動作が期待できる。
【００９７】
ただし、左利き用にも調整する場合は、ヒンジ５８に対し、トリガー部２６を上下対称に取り付ける。これにより、トリガー部２６に設けられた折り返し角度も左右対称となる。
【００９８】
〜変形例３〜
第３実施形態では、トリガー部２６がリング５６，５７であることで、バネ反力板３１およびねじりバネ３２の付勢部材が不要となったが、付勢部材を付加してもよい。
【００９９】
図２３は、第３変形例に係る鋏の一側面図である。グリップ部１４には中空部が設けられ、中空部には板バネ７３が内挿されている。板バネ７３の一端はグリップ部１４に固定されるとともに、板バネ７３の他端はヒットポイント７２に固定される。
【０１００】
板バネ７３の弾性力により、トリガー部２６に力が作用しないときは、鋏半体１に対し鋏半体２を開方向に付勢する。トリガー部２６に力が作用すると、板バネ７３の弾性力に対抗して、鋏半体１に対し鋏半体２は閉方向に回動する。
【０１０１】
〜変形例４〜
第１〜３実施形態に係る鋏は、理容師を対象とするものであるが、洋裁や和裁など服飾を職業とする人も対象とすることができる。
【０１０２】
ただし、理容師が頭髪を切る基本姿勢と、服飾関係者が布を切る基本姿勢は異なる。服飾関係者は、正面手前から正面奥へ、すなわち正面直角方向に裁断することが多い。そのため、グリップ部仮想中心面に対し、回動面が３０度程度母指側に傾いている構成（図６参照）は不要である。
【０１０３】
図２４は第４変形例に係る鋏の一側面図であり、図２５は第４変形例に係る鋏の平面図である。グリップ部仮想中心面と回動面とは、ほぼ同一平面にある。グリップ部１４を掌内に握り、トリガー部２６に掛けられた指を屈曲させると、本体部２１が本体部１１に対し閉方向に回動し、刃部１２，２２が重なりあう。これにより、布が裁断される。このとき、親指（母指）はグリップ部側面を支持するのみで、親指の使用を軽減できる。したがって、すでに親指の腱鞘炎に苦しんでいる服飾関係者でも、鋏を使用することができる。
【０１０４】
＜第４実施形態＞
第４実施形態は、第２実施形態の特徴的構成と第３実施形態の特徴的構成とを組み合わせたものである。図２６は、第４実施形態に係る鋏の側面図である。延設部２３は更に延設され、緩やかなアーチ形状をしている。アーチ内側はグリップ部１４側を向いている。
【０１０５】
トリガー部２７は、２つの連設されたリング５９であり、延設部２３端部に剛結状に延設されている。リング５９には、第３指（中指）または第４指（薬指）の指先が掛けられる。なお、第３実施形態のヒンジ５８のように回動可能であってもよい。
【０１０６】
第４実施形態において、トリガー部２７は第２実施形態のトリガー部２５と同程度の単純な構造であり、第３実施形態同様にリング５９であることで、付勢部材が不要となる。これにより、部品数が少なく単純な構造にでき、製作コストを低減でき、故障を防止できる。
【符号の説明】
【０１０７】
１  鋏半体
２  鋏半体
３  軸支部
１１  本体部
１２  刃部
１３  延設部
１４  グリップ部
１５  延設部
２１  本体部
２２  刃部
２３  延設部
２４  トリガー部（第１実施形態）
２５  トリガー部（第２実施形態）
２６  トリガー部（第３実施形態）
２７  トリガー部（第４実施形態）
３１  バネ反力板
３２  ねじりバネ
４１  グリップ部正面部
４２  グリップ部背面部
４３，４４  グリップ部側面部
４５，４６  ガイド溝
４７  掛止フック
４８  ヒットポイント
５１  棒状部材
５２  ヒンジ
５３  連結部
５４  ヒンジ
５５  ヒンジ
５６，５７  リング
５８  ヒンジ
５９  リング
６１  回転ヒンジ
６２  回転ヒンジ鋏本体側部
６３  回転ヒンジグリップ側部
６４  ネジ
６６  位置決め溝
６７  バネ
６８  ボール
６９  位置決め孔
７０  位置決めピン
７１  嵌合解除レバー
７２  ヒットポイント
７３  板バネ
９１，９２  柄部  （従来技術）
９３、９４  指輪部  （従来技術）
【図１】
0005872126.tif 000002
【図２】
0005872126.tif 000003
【図３】
0005872126.tif 000004
【図４】
0005872126.tif 000005
【図５】
0005872126.tif 000006
【図６】
0005872126.tif 000007
【図７】
0005872126.tif 000008
【図８】
0005872126.tif 000009
【図９】
0005872126.tif 000010
【図１０】
0005872126.tif 000011
【図１１】
0005872126.tif 000012
【図１２】
0005872126.tif 000013
【図１３】
0005872126.tif 000014
【図１４】
0005872126.tif 000015
【図１５】
0005872126.tif 000016
【図１６】
0005872126.tif 000017
【図１７】
0005872126.tif 000018
【図１８】
0005872126.tif 000019
【図１９】
0005872126.tif 000020
【図２０Ａ】
0005872126.tif 000021
【図２０Ｂ】
0005872126.tif 000022
【図２１Ａ】
0005872126.tif 000023
【図２１Ｂ】
0005872126.tif 000024
【図２２】
0005872126.tif 000025
【図２３】
0005872126.tif 000026
【図２４】
0005872126.tif 000027
【図２５】
0005872126.tif 000028
【図２６】
0005872126.tif 000029